【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
透視検査走査を行うためのコンピュータ断層撮影システムにおいて、表示装置と、オペレータが該表示装置を制御することを可能にする画像操作制御を含んでいるコントローラとを備えていることを特徴とするコンピュータ断層撮影システム。
【請求項２】
当該システムは更に患者テーブルを含んでおり、前記コントローラは、オペレータが走査パラメータの選択及び患者テーブルの移動を制御することを可能にする走査及び移動制御を含んでいる請求項１に記載のコンピュータ断層撮影システム。
【請求項３】
透視検査走査を行うためのコンピュータ断層撮影システムにおいて、オペレータが当該システムをタップ・モードで及び連続走査モードで選択的に動作させることを可能にするコントローラを備えていることを特徴とするコンピュータ断層撮影システム。
【請求項４】
前記コントローラは、フット・ペダルを含んでいる請求項３に記載のコンピュータ断層撮影システム。
【請求項５】
当該システムはＸ線源と表示装置とを含んでおり、前記タップ・モードの際に、前記Ｘ線源は、前記コントローラが始動される各回ごとに少なくとも１つの画像用のデータを収集するのに十分な時間にわたってエネルギ供給される請求項３に記載のコンピュータ断層撮影システム。
【請求項６】
当該システムはＸ線源を含んでおり、前記連続モードの際には、完全な１つの画像を再構成するのに十分なデータが収集された後で、前記Ｘ線源は、前記コントローラが停止された後の所定の時間内にエネルギ供給停止される請求項３に記載のコンピュータ断層撮影システム。
【請求項７】
透視検査走査を行うためのコンピュータ断層撮影システムにおいて、Ｘ線源と、該Ｘ線源に整列しているＸ線検出器と、前記Ｘ線源と前記Ｘ線検出器との間に配置されている患者テーブルと、前記検出器により収集されたデータから再構成された画像を表示する表示装置と、オペレータが走査パラメータ、前記患者テーブルの移動及び前記表示装置上での画像の表示を制御することを可能にする第１のコントローラと、オペレータが当該システムをタップ・モードで及び連続走査モードで選択的に動作させることを可能にする第２のコントローラとを含んでいることを特徴とするコンピュータ断層撮影システム。
【請求項８】
前記画像表示制御は、「ページ戻る／進む」コマンドと、「保存」コマンドと、「格子」コマンドと、「プリセット・ウィンドウ／レベル」コマンドとを含んでいる請求項１又は７に記載のコンピュータ断層撮影システム。
【請求項９】
前記走査制御は、「プレップ」コマンドと、「整列補助灯」コマンドとを含んでいる請求項１又は７に記載のコンピュータ断層撮影システム。
【請求項１０】
前記移動制御は、「テーブル送入」コマンドと、「テーブル送出」コマンドと、「段階送入」コマンドと、「段階送出」コマンドとを含んでいる請求項１又は７に記載のコンピュータ断層撮影システム。
【請求項１１】
前記移動制御は更に、走査用移動コマンドと、自動移動コマンドと、架台自由移動コマンドとを含んでいる請求項１０に記載のコンピュータ断層撮影システム。
【請求項１２】
前記第２のコントローラは、フット・ペダル、ハンド・スイッチ及び音声始動式制御のうちの少なくとも１つを含んでいる請求項７に記載のコンピュータ断層撮影システム。
【請求項１３】
前記タップ・モードの際には、前記Ｘ線源は、前記コントローラが始動される各回ごとに少なくとも１つの画像用のデータを収集するのに十分な時間にわたってエネルギ供給され、前記連続モードの際には、完全な１つの画像を再構成するのに十分なデータが収集された後に、前記Ｘ線源は、前記コントローラが停止された後の所定の時間内にエネルギ供給停止される請求項７に記載のコンピュータ断層撮影システム。
【請求項１４】
前記走査及び移動制御は、走査パラメータの選択及び患者テーブルの移動を制御すると共に、「プレップ」コマンドと、「整列補助灯」コマンドと、テーブル移動コマンドと、走査用移動コマンドと、自動移動コマンドと、架台自由移動コマンドとを含んでおり、前記画像操作制御は、「ページ戻る／進む」コマンドと、「保存」コマンドと、「格子」コマンドと、「プリセット・ウィンドウ／レベル」コマンドとを含んでいる請求項７に記載のコンピュータ断層撮影システム。
【請求項１５】
前記第１のコントローラは更に、前記表示装置上で距離を測定するためのトラック・ボールと、Ｘ線走査開始制御と、ビュー角度制御と、「揺動」制御と、ガントリ・ティルト制御とを含んでいる請求項７に記載のコンピュータ断層撮影システム。
【請求項１６】
前記第１のコントローラは更に、手順中にスライス厚さを修正することを可能にする制御を含んでいる請求項７に記載のコンピュータ断層撮影システム。
【請求項１７】
更に、高速画像更新用のデータを形成するために画像補外を実行するように構成されているプロセッサを含んでいる請求項７に記載のコンピュータ断層撮影システム。
【請求項１８】
Ｘ線源と、該Ｘ線源に整列していて、複数の検出器セルを含んでいるＸ線検出器と、該Ｘ線検出器に結合されているプロセッサと、該プロセッサに結合されていて、走査及び移動制御と、画像操作制御とを含んでいるコントローラとを含んでいるコンピュータ断層撮影システムにおいて、前記プロセッサは、多数のビューを１つのビューとして結合することにより第１のセットのデータを圧縮すると共に、圧縮されたビュー相互間で一定のビュー角度増分を維持し、線形補間を用いて前記第１のセットのデータから第２のセットのデータを形成し、少なくとも２つの隣接した検出器セルからの投影データを連結し、分解能の低下を少なくとも部分的に補償し、前記データをオーバースキャン重み付けし、それぞれの画像の各々が形成されるべきそれぞれのビューを選択し、該ビューは、完全な１つの画像を形成するのに要求されるビューの数Ｎと、並行処理パイプの数Ｘと、Ｎビュー回転につき形成される画像の数Ｙとに基づいて選択されており、且つ逆投影に用いられる諸量がビュー相互間の線形化に基づいているような逆投影を実行するように構成されていること、を特徴とするコンピュータ断層撮影システム。
【請求項１９】
更に、前記プロセッサに結合されている表示装置を含んでいる請求項１８に記載のコンピュータ断層撮影システム。
【請求項２０】
前記表示装置は、広角フラット・パネル型表示装置である請求項１９に記載のコンピュータ断層撮影システム。
【請求項２１】
前記システムは、Ｘ線全照射量が所定の制限値を上回らない限り、無限の手順持続時間にわたる走査を実行する請求項１８に記載のコンピュータ断層撮影システム。
【請求項２２】
前記コントローラは、前記システムの室内準備を行う「プレップ」コマンドを含んでいる請求項１８に記載のコンピュータ断層撮影システム。
【請求項２３】
前記システムは更にガントリを含んでおり、少なくとも１つの整列補助モジュールが、走査平面についての基準を形成するように前記ガントリに装着されている請求項１８に記載のコンピュータ断層撮影システム。
【請求項２４】
前記システムは更にガントリを含んでおり、前記コントローラは更にガントリ・ティルト制御を含んでいる請求項１８に記載のコンピュータ断層撮影システム。
【請求項２５】
前記コントローラは更に、手順中にスライス厚さを修正することを可能にする制御を含んでいる請求項１８に記載のコンピュータ断層撮影システム。
【請求項２６】
前記プロセッサは、高速画像更新用のデータを形成するために画像補外を実行するように構成されている請求項１８に記載のコンピュータ断層撮影システム。
【請求項２７】
前記システムは、Ｘ線全照射量が所定の制限値を上回らない限り、無限の手順持続時間にわたる走査を実行し、前記無限の手順持続時間は、タップ・モード中に生じるＸ線照射を含んでいる請求項１８に記載のコンピュータ断層撮影システム。